(57)【要約】【課題】ユーザ操作によらなくても制御パラメータの変更動作を自動的に終了することができること。【解決手段】オペレータステーション３は、制御パラメータに基づいて制御対象を制御する制御装置に用いられ、ユーザ操作に応じて制御パラメータを変更する。このオペレータステーション３は、制御パラメータの変更を指示する第１ユーザ操作を受け付ける操作入力部３２と、操作入力部３２による第１ユーザ操作の受け付けを基に定められる起点からの時間を計測する第１タイマー３５４と、操作入力部３２が第１ユーザ操作を受け付けた場合に制御パラメータの変更動作を開始し、第１タイマー３５４の計測値が第１閾値に達した場合に制御パラメータの変更動作を終了する制御パラメータ変更部３５３とを備える。【選択図】図２
2015007864.tif 000002
【特許請求の範囲】
【請求項１】
制御パラメータに基づいて制御対象を制御する制御装置に用いられ、ユーザ操作に応じて前記制御パラメータを変更する操作装置であって、
前記制御パラメータの変更を指示する第１ユーザ操作を受け付ける操作入力部と、
前記操作入力部による前記第１ユーザ操作の受け付けを基に定められる起点からの時間を計測する第１計測部と、
前記操作入力部が前記第１ユーザ操作を受け付けた場合に前記制御パラメータの変更動作を開始し、前記第１計測部の計測値が第１閾値に達した場合に前記制御パラメータの変更動作を終了する制御パラメータ変更部と、を備える
ことを特徴とする操作装置。
【請求項２】
前記操作入力部による前記第１ユーザ操作の受け付けを起点として時間を計測する第２計測部をさらに備え、
前記操作入力部は、
前記制御パラメータの変更を終了する第２ユーザ操作を受け付け、
前記制御パラメータ変更部は、
前記操作入力部による前記第１ユーザ操作の受け付けを起点として計測された前記第２計測部の計測値が第２閾値に達する前に前記操作入力部が前記第２ユーザ操作を受け付けた場合には、前記第２ユーザ操作に応じて前記制御パラメータの変更動作を終了する
ことを特徴とする請求項１に記載の操作装置。
【請求項３】
前記第１計測部は、
前記第２計測部の計測値が前記第２閾値に達した時点から時間を計測し、
前記制御パラメータ変更部は、
前記第１計測部の計測値が前記第１閾値に達する前に前記操作入力部が前記第２ユーザ操作を受け付けた場合には、前記第１計測部の計測値が前記第１閾値に達するまで前記制御パラメータの変更動作を継続し、
前記第１計測部は、
時間の計測中に前記操作入力部が前記第１ユーザ操作を受け付けた場合には、計測値を初期化し、再度、時間を計測する
ことを特徴とする請求項２に記載の操作装置。
【請求項４】
制御パラメータに基づいて制御対象を制御する制御装置に用いられ、ユーザ操作に応じて前記制御パラメータを変更する操作装置であって、
前記制御パラメータの変更を指示する第１ユーザ操作を受け付ける操作入力部と、
前記操作入力部による前記第１ユーザ操作の受け付けを起点として時間を計測する第１計測部と、
前記操作入力部が前記第１ユーザ操作を受け付けた場合に前記制御パラメータの変更動作を開始し、前記第１計測部の計測値が第１閾値に達した場合に前記制御パラメータの変更動作を終了する制御パラメータ変更部とを備える
ことを特徴とする操作装置。
【請求項５】
前記操作入力部は、
前記制御パラメータの変更を終了する第２ユーザ操作を受け付け、
前記制御パラメータ変更部は、
前記第１計測部の計測値が前記第１閾値に達する前に前記操作入力部が前記第２ユーザ操作を受け付けた場合には、前記第１計測部の計測値が前記第１閾値に達するまで前記制御パラメータの変更動作を継続し、
前記第１計測部は、
時間の計測中に前記操作入力部が前記第１ユーザ操作を受け付けた場合には、計測値を初期化し、再度、時間を計測する
ことを特徴とする請求項４に記載の操作装置。
【請求項６】
前記操作入力部は、
前記制御パラメータの変更を終了する第２ユーザ操作を受け付け、
前記制御パラメータ変更部は、
前記第１計測部の計測値が前記第１閾値に達する前に前記操作入力部が前記第２ユーザ操作を受け付けた場合には、前記第２ユーザ操作に応じて前記制御パラメータの変更動作を終了する
ことを特徴とする請求項４に記載の操作装置。
【請求項７】
前記操作入力部は、
前記制御パラメータの変更を終了する第２ユーザ操作と、標準モードを指示する第３ユーザ操作と、拡張モードを指示する第４ユーザ操作とを受け付け、
前記操作入力部が前記第３ユーザ操作を受け付けた場合に前記制御パラメータ変更部の動作モードを前記標準モードに設定し、前記操作入力部が前記第４ユーザ操作を受け付けた場合に前記動作モードを前記拡張モードに設定するモード切替部をさらに備え、
前記制御パラメータ変更部は、
前記モード切替部により前記動作モードが前記標準モードに設定されている状態では、前記操作入力部が前記第２ユーザ操作を受け付けた場合に、前記制御パラメータの変更動作を終了し、
前記モード切替部により前記動作モードが前記拡張モードに設定されている状態では、前記操作入力部が前記第２ユーザ操作を受け付けた場合、または前記第１計測部の計測値が前記第１閾値に達した場合に、前記制御パラメータの変更動作を終了する
ことを特徴とする請求項１〜６のいずれか一つに記載の操作装置。
【請求項８】
前記第１計測部の計測値が前記第１閾値に達することで前記制御パラメータの変更動作が終了した場合に、前記制御パラメータの変更動作を自動的に終了させたことを示す情報を報知する報知部を備える
ことを特徴とする請求項１〜７のいずれか一つに記載の操作装置。
【請求項９】
制御パラメータに基づいて制御対象を制御する制御装置に用いられ、ユーザ操作に応じて前記制御パラメータを変更する操作装置に実行させる制御パラメータ変更プログラムであって、
操作入力部が前記制御パラメータの変更を指示するユーザ操作を受け付けた場合に前記制御パラメータの変更動作を開始する変更動作開始ステップと、
前記操作入力部による前記ユーザ操作の受け付けを基に定められる起点からの時間を計測する計時ステップと、
前記計時ステップでの計測値が所定の閾値に達した場合に前記制御パラメータの変更動作を終了する変更動作終了ステップとを前記操作装置に実行させる
ことを特徴とする制御パラメータ変更プログラム。
【請求項１０】
制御パラメータに基づいて制御対象を制御する制御装置に用いられ、ユーザ操作に応じて前記制御パラメータを変更する操作装置に実行させる制御パラメータ変更プログラムであって、
操作入力部が前記制御パラメータの変更を指示するユーザ操作を受け付けた場合に前記制御パラメータの変更動作を開始する変更動作開始ステップと、
前記操作入力部による前記ユーザ操作の受け付けを起点として時間を計測する計時ステップと、
前記計時ステップでの計測値が所定の閾値に達した場合に前記制御パラメータの変更動作を終了する変更動作終了ステップとを前記操作装置に実行させる
ことを特徴とする制御パラメータ変更プログラム。
【発明の詳細な説明】
【技術分野】
【０００１】
本発明は、操作装置、及び制御パラメータ変更プログラムに関する。
【背景技術】
【０００２】
従来、プラントを対象とするプロセスの制御や監視を行うためのプラント監視システムとして、プロセスの制御を担当する制御装置と、ヒューマンマシンインターフェースとしてのオペレータステーションとを備えた分散型制御システムが利用されている。
具体的に、制御装置は、プラントに分散配置され、プラントを構成する各種機器に接続されたセンサ等の各種計測機器や、バルブ開閉器及び火力調整器等の各種調整機器と接続する。そして、制御装置は、各種計測機器の各測定値を認識しながら、プロセスの制御処理を司るプログラム等で構成される複数の制御ブロックを展開して当該制御ブロックに従って各種調整機器を制御する。
また、制御装置は、複数の制御ブロックの各動作状態に関する複数の状態情報（各種計測機器の各測定値、制御パラメータである目標値や操作出力値等）をオペレータステーションに出力する。
【０００３】
オペレータステーションは、液晶ディスプレイ等の表示部やマウス及びキーボード等の操作入力部を備えたＰＣ(Personal Computer)等を用いて構成されている。
このオペレータステーションは、制御装置から取得した状態情報に基づく制御ブロックの動作状態を示すとともに当該制御ブロックにおける制御パラメータの変更を促すウィンドウを制御ブロック毎に表示部に表示する。
そして、オペレータは、表示部に表示されたウィンドウを確認しながら、制御ブロックの動作状態を把握するとともに、マウスを用いた操作により、適宜、制御ブロックにおける制御パラメータを変更する。
【０００４】
図１４は、従来の制御パラメータの変更動作を示すタイミングチャートである。
なお、図１４（ａ）は、オペレータによるマウス操作を示しており、「ＯＮ」はマウスボタンが押されている状態を示し、「ＯＦＦ」はマウスボタンが押されていない状態を示している。また、図１４（ｂ）は、オペレータステーションに搭載された機能（アプリケーション）による制御パラメータの変更動作を示しており、「ＯＮ」は制御パラメータの変更動作を行っている状態を示し、「ＯＦＦ」は制御パラメータの変更動作を行っていない状態を示している。
【０００５】
具体的に、上記機能は、オペレータによりマウスボタンが押された場合（「ＯＦＦ」の状態から「ＯＮ」の状態に立ち上がるタイミングＰＳ）に、「ＢＵＴＴＯＮＤＯＷＮ」のマウスイベントを受け取り、制御パラメータの変更動作を開始する（図１４（ｂ））。この後、上記機能は、オペレータによりマウスボタンが離された場合（「ＯＮ」の状態から「ＯＦＦ」の状態に立ち下がるタイミングＰＥ）に、「ＢＵＴＴＯＮＵＰ」のマウスイベントを受け取り、制御パラメータの変更動作を終了する（図１４（ｂ））。
そして、制御パラメータは、タイミングＰＳからタイミングＰＥまでの時間が長いほど、順次、連続して増加または減少していくこととなる。
【０００６】
ここで、オペレータによりマウスボタンが押された後、マウスに故障が生じた場合（図１４（ａ）に示すタイミングＰＭ）、上記機能は、「ＢＵＴＴＯＮＵＰ」のマウスイベントを受け取ることができず、制御パラメータの変更動作を継続することとなる（図１４（ｂ））。すなわち、オペレータの意図に反して、制御パラメータが順次、連続して増加または減少するという事態が生じる。
そこで、上記の事態を回避することを目的として、マウスに故障が生じた場合に、当該マウスの機能をキーボードにより代替えする技術が提案されている（例えば、特許文献１参照）。
【先行技術文献】
【特許文献】
【０００７】
【特許文献１】特開平６−３３２４２５号公報
【発明の概要】
【発明が解決しようとする課題】
【０００８】
しかしながら、特許文献１に記載の技術を用いた場合であっても、マウスの故障と同様に、キーボードにも故障が生じた場合には、上記の事態を回避することができない、という問題がある。
このため、マウスやキーボード等へのユーザ操作によらなくても、制御パラメータの変更動作を自動的に終了することができる技術が要望されている。
【０００９】
本発明は、上記に鑑みてなされたものであって、ユーザ操作によらなくても制御パラメータの変更動作を自動的に終了することができる高信頼な操作装置、及び制御パラメータ変更プログラムを提供することを目的とする。
【課題を解決するための手段】
【００１０】
上述した課題を解決し、目的を達成するために、本発明に係る操作装置は、制御パラメータに基づいて制御対象を制御する制御装置に用いられ、ユーザ操作に応じて前記制御パラメータを変更する操作装置であって、前記制御パラメータの変更を指示する第１ユーザ操作を受け付ける操作入力部と、前記操作入力部による前記第１ユーザ操作の受け付けを基に定められる起点からの時間を計測する第１計測部と、前記操作入力部が前記第１ユーザ操作を受け付けた場合に前記制御パラメータの変更動作を開始し、前記第１計測部の計測値が第１閾値に達した場合に前記制御パラメータの変更動作を終了する制御パラメータ変更部と、を備えることを特徴とする。
【００１１】
また、本発明に係る操作装置は、上記発明において、前記操作入力部による前記第１ユーザ操作の受け付けを起点として時間を計測する第２計測部をさらに備え、前記操作入力部は、前記制御パラメータの変更を終了する第２ユーザ操作を受け付け、前記制御パラメータ変更部は、前記操作入力部による前記第１ユーザ操作の受け付けを起点として計測された前記第２計測部の計測値が第２閾値に達する前に前記操作入力部が前記第２ユーザ操作を受け付けた場合には、前記第２ユーザ操作に応じて前記制御パラメータの変更動作を終了することを特徴とする。
【００１２】
また、本発明に係る操作装置は、上記発明において、前記第１計測部は、前記第２計測部の計測値が前記第２閾値に達した時点から時間を計測し、前記制御パラメータ変更部は、前記第１計測部の計測値が前記第１閾値に達する前に前記操作入力部が前記第２ユーザ操作を受け付けた場合には、前記第１計測部の計測値が前記第１閾値に達するまで前記制御パラメータの変更動作を継続し、前記第１計測部は、時間の計測中に前記操作入力部が前記第１ユーザ操作を受け付けた場合には、計測値を初期化し、再度、時間を計測することを特徴とする。
【００１３】
また、本発明に係る操作装置は、制御パラメータに基づいて制御対象を制御する制御装置に用いられ、ユーザ操作に応じて前記制御パラメータを変更する操作装置であって、前記制御パラメータの変更を指示する第１ユーザ操作を受け付ける操作入力部と、前記操作入力部による前記第１ユーザ操作の受け付けを起点として時間を計測する第１計測部と、前記操作入力部が前記第１ユーザ操作を受け付けた場合に前記制御パラメータの変更動作を開始し、前記第１計測部の計測値が第１閾値に達した場合に前記制御パラメータの変更動作を終了する制御パラメータ変更部とを備えることを特徴とする。
【００１４】
また、本発明に係る操作装置は、上記発明において、前記操作入力部は、前記制御パラメータの変更を終了する第２ユーザ操作を受け付け、前記制御パラメータ変更部は、前記第１計測部の計測値が前記第１閾値に達する前に前記操作入力部が前記第２ユーザ操作を受け付けた場合には、前記第１計測部の計測値が前記第１閾値に達するまで前記制御パラメータの変更動作を継続し、前記第１計測部は、時間の計測中に前記操作入力部が前記第１ユーザ操作を受け付けた場合には、計測値を初期化し、再度、時間を計測することを特徴とする。
【００１５】
また、本発明に係る操作装置は、上記発明において、前記操作入力部は、前記制御パラメータの変更を終了する第２ユーザ操作を受け付け、前記制御パラメータ変更部は、前記第１計測部の計測値が前記第１閾値に達する前に前記操作入力部が前記第２ユーザ操作を受け付けた場合には、前記第２ユーザ操作に応じて前記制御パラメータの変更動作を終了することを特徴とする。
【００１６】
また、本発明に係る操作装置は、上記発明において、前記操作入力部は、前記制御パラメータの変更を終了する第２ユーザ操作と、標準モードを指示する第３ユーザ操作と、拡張モードを指示する第４ユーザ操作とを受け付け、前記操作入力部が前記第３ユーザ操作を受け付けた場合に前記制御パラメータ変更部の動作モードを前記標準モードに設定し、前記操作入力部が前記第４ユーザ操作を受け付けた場合に前記動作モードを前記拡張モードに設定するモード切替部をさらに備え、前記制御パラメータ変更部は、前記モード切替部により前記動作モードが前記標準モードに設定されている状態では、前記操作入力部が前記第２ユーザ操作を受け付けた場合に、前記制御パラメータの変更動作を終了し、前記モード切替部により前記動作モードが前記拡張モードに設定されている状態では、前記操作入力部が前記第２ユーザ操作を受け付けた場合、または前記第１計測部の計測値が前記第１閾値に達した場合に、前記制御パラメータの変更動作を終了することを特徴とする。
【００１７】
また、本発明に係る操作装置は、上記発明において、前記第１計測部の計測値が前記第１閾値に達することで前記制御パラメータの変更動作が終了した場合に、前記制御パラメータの変更動作を自動的に終了させたことを示す情報を報知する報知部を備えることを特徴とする。
【００１８】
また、本発明に係る制御パラメータ変更プログラムは、制御パラメータに基づいて制御対象を制御する制御装置に用いられ、ユーザ操作に応じて前記制御パラメータを変更する操作装置に実行させる制御パラメータ変更プログラムであって、操作入力部が前記制御パラメータの変更を指示するユーザ操作を受け付けた場合に前記制御パラメータの変更動作を開始する変更動作開始ステップと、前記操作入力部による前記ユーザ操作の受け付けを基に定められる起点からの時間を計測する計時ステップと、前記計時ステップでの計測値が所定の閾値に達した場合に前記制御パラメータの変更動作を終了する変更動作終了ステップとを前記操作装置に実行させることを特徴とする。
【００１９】
また、本発明に係る制御パラメータ変更プログラムは、制御パラメータに基づいて制御対象を制御する制御装置に用いられ、ユーザ操作に応じて前記制御パラメータを変更する操作装置に実行させる制御パラメータ変更プログラムであって、操作入力部が前記制御パラメータの変更を指示するユーザ操作を受け付けた場合に前記制御パラメータの変更動作を開始する変更動作開始ステップと、前記操作入力部による前記ユーザ操作の受け付けを起点として時間を計測する計時ステップと、前記計時ステップでの計測値が所定の閾値に達した場合に前記制御パラメータの変更動作を終了する変更動作終了ステップとを前記操作装置に実行させることを特徴とする。
【発明の効果】
【００２０】
本発明に係る操作装置は、上述した第１計測部及び制御パラメータ変更部を備える。このため、制御パラメータの変更動作を開始した後、操作入力部への制御パラメータの変更を終了するユーザ操作によらなくても、第１計測部の計測値に基づいて、制御パラメータの変更動作を自動的に終了することができる、という効果を奏する。
本発明に係る制御パラメータ変更プログラムは、上述した操作装置にて実行されるプログラムであるため、上述した操作装置と同様の効果を奏する。
【図面の簡単な説明】
【００２１】
【図１】図１は、本発明の実施の形態１に係るプラント監視システムを模式的に示す図である。
【図２】図２は、図１に示したオペレータステーションの構成を示すブロック図である。
【図３】図３は、図２に示す表示部に表示される計器図を模式的に示す図である。
【図４】図４は、図３に示す計器図の画面遷移を示す図である。
【図５】図５は、本発明の実施の形態１に係る制御パラメータ変更方法（第１拡張モード）を示すフローチャートである。
【図６】図６は、第１拡張モードでの制御パラメータの変更動作を示すタイミングチャートである。
【図７】図７は、図５に示すステップＳ１Ｌで表示部に表示される計器図の一例を示す図である。
【図８】図８は、本発明の実施の形態１に係る制御パラメータ変更方法（第２拡張モード）を示すフローチャートである。
【図９】図９は、第２拡張モードでの制御パラメータの変更動作を示すタイミングチャートである。
【図１０】図１０は、本発明の実施の形態２に係るオペレータステーションの構成を示すブロック図である。
【図１１】図１１は、本発明の実施の形態２に係る制御パラメータ変更方法（第１拡張モード）を示すフローチャートである。
【図１２】図１２は、本発明の実施の形態１，２の変形例に係る制御パラメータ変更方法を示すフローチャートである。
【図１３】図１３は、本発明の実施の形態１，２の変形例に係る制御パラメータの変更動作を示すタイミングチャートである。
【図１４】図１４は、従来の制御パラメータの変更動作を示すタイミングチャートである。
【発明を実施するための形態】
【００２２】
以下に、図面を参照して、本発明を実施するための形態（以下、実施の形態）について説明する。なお、以下に説明する実施の形態によって本発明が限定されるものではない。さらに、図面の記載において、同一の部分には同一の符号を付している。
【００２３】
（実施の形態１）
〔監視システムの概略構成〕
図１は、本発明の実施の形態１に係るプラント監視システムを模式的に示す図である。
プラント監視システム１は、鉄鋼プラントや化学プラント等のプラントＰ（図１）を対象とするプロセスの制御や監視を行う分散型制御システムであり、複数の制御装置２（図１では２つの制御装置２のみを図示）と、オペレータステーション３とを備える。
そして、複数の制御装置２及びオペレータステーション３は、図１に示すように、制御ネットワーク４に接続され、各種データを送受信可能に構成されている。
なお、図１では、オペレータステーション３が１つのみ設けられたプラント監視システム１を示したが、これに限られず、オペレータの数や制御装置２の数等に応じて、複数、設けた構成としても構わない。
【００２４】
また、プラント監視システム１は、制御装置２及びオペレータステーション３の他、データベースステーション５及びプリンタ６を備える。
データベースステーション５は、制御ネットワーク４に接続され、制御装置２から送信されたデータ（アラームの履歴情報や数値のトレンド情報等）を蓄積する装置である。
また、オペレータステーション３、データベースステーション５、及びプリンタ６は、情報ネットワーク７に接続されている。このため、プラント監視システム１では、各ステーション３，５内部の各種データをプリンタ６で印刷可能であり、さらに、各ステーション３，５間で各種データの送受信が可能である。
【００２５】
〔制御装置の構成〕
制御装置２は、プラントＰに分散配置され、プラントＰを構成する各種機器Ｐ１，Ｐ２（図１では２つの機器Ｐ１，Ｐ２のみを図示）に接続されたセンサ等の各種計測機器（図示略）や、バルブ開閉器及び火力調整器等の各種調整機器（図示略）と接続する。
そして、制御装置２は、各種計測機器の各測定値を認識しながら、複数の制御ブロックを展開し、当該制御ブロックに従って各種調整機器（各種機器Ｐ１，Ｐ２）を制御する。
ここで、制御ブロックは、プロセスの制御処理を司るプログラム等で構成されるものであり、ＰＩＤ制御ブロック等を含む。
また、制御ブロックは、制御装置２内に用意された内部計器（プロセスの制御を行うフィードバック制御計器やシーケンス制御を行う計器、スイッチ計器等）とも呼ばれるものであり、以下では、内部計器と記載する。
【００２６】
また、制御装置２は、複数の内部計器の動作状態に関する複数の状態情報等を、制御ネットワーク４を介して、各ステーション３，５に送信する。
ここで、状態情報は、計測機器の測定値と、制御パラメータである目標値や操作出力値と、測定値、目標値、及び操作出力値に対する各上限値や各下限値等の監視値と、監視値に対するアラーム等を含むものである。
【００２７】
〔オペレータステーションの構成〕
図２は、オペレータステーション３の構成を示すブロック図である。
オペレータステーション３は、オペレータにプラントＰの稼動状態を確認させるとともに、内部計器における制御パラメータ（目標値や操作出力値）の変更を促す装置であり、ＰＣ等を用いて構成されている。
そして、オペレータステーション３は、本発明に係る操作装置として機能する。
このオペレータステーション３は、図２に示すように、表示部３１と、操作入力部３２と、第１通信部３３と、第２通信部３４と、制御部３５と、メモリ部３６とを備える。
表示部３１は、液晶ディスプレイ等を用いて構成され、制御部３５による制御の下、内部計器の動作状態を示すとともに当該内部計器における制御パラメータの変更を促すウィンドウ（以下、計器図と記載）を表示する。
操作入力部３２は、キーボード及びマウス等を用いて構成され、オペレータによる操作（第１〜第４ユーザ操作等）を受け付ける。
【００２８】
第１通信部３３は、制御部３５による制御の下、制御ネットワーク４を介して、複数の制御装置２との間で各種データを送受信する。そして、制御装置２から送信され、第１通信部３３にて受信した複数の状態情報は、メモリ部３６に記憶される。
第２通信部３４は、制御部３５による制御の下、情報ネットワーク７を介して、データベースステーション５やプリンタ６との間で各種データを送受信する。
メモリ部３６は、オペレータステーション３を動作させるための各種プログラム（制御パラメータ変更プログラムも含む）や、プログラムの実行中に使用される各種データ等を記憶する。
ここで、プログラムの実行中に使用される各種データとしては、表示部３１の表示に用いられる画像が含まれる。
【００２９】
制御部３５は、ＣＰＵ(Central Processing Unit)等を用いて構成され、オペレータによる操作入力部３２の操作に応じてオペレータステーション３を構成する各部に対応する指示やデータの転送等を行ってオペレータステーション３の動作を統括的に制御する。
この制御部３５は、図２に示すように、表示制御部３５１と、モード切替部３５２と、制御パラメータ変更部３５３と、第１，第２タイマー３５４，３５５等を備える。
表示制御部３５１は、表示部３１に種々の画像を表示させる。
例えば、表示制御部３５１は、メモリ部３６に記憶された情報を用いて、内部計器毎に計器図を生成し、当該計器図を表示部３１に表示させる。
なお、計器図の生成に用いる情報は、メモリ部３６に記憶された画像、及び複数の状態情報等である。
【００３０】
図３は、表示部３１に表示される計器図を模式的に示す図である。
ここで、メモリ部３６に記憶された画像（計器図Ｗ（図３）の生成に用いられる画像）は、例えば、以下に示すように構成されている。
当該画像は、図３に示すように、表示領域Ｖ、パラメータ変更アイコンＵＡ，ＤＡ、及びモード変更アイコンＭＡが画像領域内に配置された画像である。
なお、当該画像には、表示領域Ｖの他、内部計器を識別するタイトルを示す表示領域、計測機器の測定値を示す表示領域、測定値、目標値、及び測定値の上下限範囲等をグラフで示す表示領域等があるが、図３では、説明の便宜上、省略している。
【００３１】
表示領域Ｖは、制御パラメータの値（目標値や操作出力値）を示す領域である。
パラメータ変更アイコンＵＡ，ＤＡは、制御パラメータの増減を促すアイコンである。
モード変更アイコンＭＡは、制御パラメータ変更部３５３における動作モードの変更を促すアイコンである。
すなわち、表示制御部３５１は、メモリ部３６から上述した画像を読み出すとともに、メモリ部３６に記憶された状態情報に基づいて制御パラメータを演算し、演算結果を表示領域Ｖに表示することで計器図Ｗを生成する。そして、表示制御部３５１は、生成した計器図Ｗを表示部３１に表示させる。
【００３２】
モード切替部３５２は、オペレータによる操作入力部３２の操作に応じて、制御パラメータ変更部３５３における動作モードを切り替える。そして、モード切替部３５２は、切り替えた動作モードに関する情報をメモリ部３６に記憶させる。
また、上述した表示制御部３５１は、当該動作モードの切替に応じて、モード変更アイコンＭＡに表示する文字を変更する。
【００３３】
図４は、図３に示す計器図の画面遷移を示す図である。
図４（ａ）は、モード切替部３５２により動作モードが「標準モード」に設定され、表示制御部３５１によりモード変更アイコンＭＡに「標準モード」が表示されている状態を示している。
【００３４】
例えば、モード切替部３５２は、図４（ａ）に示す状態で、操作入力部３２が第４ユーザ操作を受け付けた場合には、動作モードを「標準モード」から「第１拡張モード」に切り替える。
ここで、第４ユーザ操作は、「拡張モード」を指示する操作（オペレータによるマウス操作）であり、具体的には、表示部３１に計器図Ｗが表示されている際に、モード変更アイコンＭＡの表示位置にマウスカーソルを位置付け、マウスボタンをクリックする操作である。
そして、表示制御部３５１は、図４（ｂ）に示すように、モード変更アイコンＭＡに表示する文字を「標準モード」から「第１拡張モード」に変更する。
【００３５】
また、モード切替部３５２は、図４（ｂ）に示す状態で、操作入力部３２が第４ユーザ操作を受け付けた場合には、動作モードを「第１拡張モード」から「第２拡張モード」に切り替える。
そして、表示制御部３５１は、図４（ｃ）に示すように、モード変更アイコンＭＡに表示する文字を「第１拡張モード」から「第２拡張モード」に変更する。
【００３６】
さらに、モード切替部３５２は、図４（ｃ）に示す状態で、操作入力部３２が第３ユーザ操作を受け付けた場合には、動作モードを「第２拡張モード」から「標準モード」に切り替える。
ここで、第３ユーザ操作は、「標準モード」を指示する操作（オペレータによるマウス操作）であり、具体的には、第４ユーザ操作と同様のマウスによる操作である。
そして、表示制御部３５１は、図４（ａ）に示すように、モード変更アイコンＭＡに表示する文字を「第２拡張モード」から「標準モード」に変更する。
【００３７】
制御パラメータ変更部３５３は、操作入力部３２が第１ユーザ操作を受け付けた場合に制御パラメータの変更動作を開始する。
ここで、第１ユーザ操作は、表示部３１に計器図Ｗが表示されている際に、パラメータ変更アイコンＵＡ，ＤＡのいずれかの表示位置（制御パラメータを増加させる場合にはアイコンＵＡの表示位置、減少させる場合にはアイコンＤＡの表示位置）にマウスカーソルを位置付け、マウスボタンを押す操作（オペレータによるマウス操作）である。
また、制御パラメータ変更部３５３は、モード切替部３５２にて切り替えられた動作モードに応じて（メモリ部３６に記憶された動作モードに関する情報に応じて）制御パラメータの変更動作を終了する。
【００３８】
「標準モード」に設定されている場合には、制御パラメータ変更部３５３は、操作入力部３２が第２ユーザ操作を受け付けた場合に、制御パラメータの変更動作を終了する。
ここで、第２ユーザ操作は、第１ユーザ操作の後、マウスボタンを離す操作（オペレータによるマウス操作）である。
すなわち、「標準モード」は、従来のオペレータステーションに搭載された機能と同一の機能を実現する動作モードである。
「第１拡張モード」や「第２拡張モード」に切り替えられている場合には、制御パラメータ変更部３５３は、操作入力部３２が第２ユーザ操作を受け付けた場合、または第１タイマー３５４の計測値が第１閾値に達した場合に、制御パラメータの変更動作を終了する。
【００３９】
以上説明した「制御パラメータの変更動作」とは、より具体的には、以下のことを意味する。
「制御パラメータの変更動作」とは、第１通信部３３の動作を制御し、制御ネットワーク４を介して、制御装置２の内部メモリ（図示略）に記憶された制御パラメータを変更することである。
すなわち、制御パラメータ変更部３５３は、制御パラメータの変更動作の開始から終了までの間、第１ユーザ操作によるマウスカーソルの位置（パラメータ変更アイコンＵＡ，ＤＡのいずれかの表示位置）に応じて、順次、制御装置２の内部メモリに記憶された制御パラメータを増減（変更）する。
そして、制御装置２は、内部メモリに記憶された制御パラメータ（制御パラメータ変更部３５３にて変更された制御パラメータ）を用いて、制御を実施する。
【００４０】
第１タイマー３５４は、制御パラメータ変更部３５３の動作モードが「第１拡張モード」及び「第２拡張モード」である場合に機能し、第２ユーザ操作によらずに制御パラメータの変更動作を自動的に終了させるための時間を計測する。
そして、第１タイマー３５４は、本発明に係る第１計測部として機能する。
第２タイマー３５５は、制御パラメータ変更部３５３の動作モードが「第１拡張モード」である場合に機能し、第２ユーザ操作に応じて制御パラメータの変更動作を終了させるための時間を計測する。
そして、第２タイマー３５５は、本発明に係る第２計測部として機能する。
【００４１】
〔オペレータステーションの動作〕
次に、上述したオペレータステーション３の動作（制御パラメータの変更動作（制御パラメータ変更方法））について説明する。
なお、以下では、「第１拡張モード」及び「第２拡張モード」での制御パラメータの変更動作を順に説明し、「標準モード」での制御パラメータの変更動作については従来と同様であるため説明を省略する。
【００４２】
〔第１拡張モード〕
図５は、本発明の実施の形態１に係る制御パラメータ変更方法（第１拡張モード）を示すフローチャートである。図６は、第１拡張モードでの制御パラメータの変更動作を示すタイミングチャートである。
なお、図６（ａ）は、オペレータによる操作入力部３２の操作（マウス操作）を示しており、「ＯＮ」はマウスボタンが押されている状態を示し、「ＯＦＦ」はマウスボタンが押されていない状態を示している。また、図６（ｂ）は、制御パラメータ変更部３５３による制御パラメータの変更動作を示しており、「ＯＮ」は制御パラメータの変更動作を行っている状態を示し、「ＯＦＦ」は制御パラメータの変更動作を行っていない状態を示している。さらに、図６（ｃ）は、第１タイマー３５４の起動状態を示しており、「ＯＮ」は第１タイマー３５４が起動している状態を示し、「ＯＦＦ」は第１タイマー３５４の機能が停止している状態を示している。
【００４３】
先ず、制御パラメータ変更部３５３は、操作入力部３２が第１ユーザ操作を受け付けたか否か（マウスボタンが押されたか否か）を常時、監視する（ステップＳ１Ａ）。
すなわち、制御パラメータ変更部３５３は、「ＢＵＴＴＯＮＤＯＷＮ」のマウスイベントを受け取ったか否かを常時、監視する。
そして、制御パラメータ変更部３５３は、ステップＳ１Ａにおいて「Ｙｅｓ」と判断した場合には、制御パラメータの変更動作を開始する（ステップＳ１Ｂ：変更動作開始ステップ）。
また、第２タイマー３５５は、操作入力部３２による第１ユーザ操作の受け付け（ステップＳ１Ａ：Ｙｅｓ）を起点として時間の計測を開始する（ステップＳ１Ｃ）。
なお、図５では、便宜上、ステップＳ１ＣをステップＳ１Ｂの後に示しているが、ステップＳ１Ｂ，Ｓ１Ｃは、略同時に実施されるものである。
【００４４】
続いて、制御パラメータ変更部３５３は、第２タイマー３５５の計測値が第２閾値（ＴＳ２（時間））に達したか否か（マウスボタンが押されてからＴＳ２（時間）経過したか否か）を判断する（ステップＳ１Ｄ）。
なお、ＴＳ２（時間）は、例えば、５００ｍｓ〜１ｓ程度の時間である。
制御パラメータ変更部３５３は、ステップＳ１Ｄにおいて「Ｎｏ」と判断した場合には、操作入力部３２が第２ユーザ操作を受け付けたか否か（マウスボタンが離されたか否か）を判断する（ステップＳ１Ｅ）。
すなわち、制御パラメータ変更部３５３は、「ＢＵＴＴＯＮＵＰ」のマウスイベントを受け取ったか否かを判断する。
ここで、制御パラメータ変更部３５３は、ステップＳ１Ｅにおいて「Ｎｏ」と判断した場合には、ステップＳ１Ｄへ移行する。
そして、制御パラメータ変更部３５３は、第２タイマー３５５の計測値がＴＳ２（時間）に達する前（ステップＳ１Ｄ：Ｎｏ）に、マウスボタンが離されたと判断した場合（ステップＳ１Ｅ：Ｙｅｓ）には、制御パラメータの変更動作を終了する（ステップＳ１Ｆ）。
【００４５】
以上説明したステップＳ１Ａ〜Ｓ１Ｆは、図６（ａ）に示す操作パターンＰＴ１のマウス操作が実施された場合での処理に相当するものである。
すなわち、オペレータによりマウスボタンが押されてから（タイミングＰＳ１から）、マウスボタンが離されるまで（タイミングＰＥ１まで）の時間（Ｔ１）がＴＳ２（時間）未満である場合には、制御パラメータ変更部３５３は、マウスボタンが離される操作（第２ユーザ操作）に応じて制御パラメータの変更動作を終了する（図６（ｂ））。
【００４６】
ステップＳ１Ｄに戻って、第２タイマー３５５の計測値がＴＳ２（時間）に達したと判断された場合（ステップＳ１Ｄ：Ｙｅｓ）には、第１タイマー３５４は、第２タイマー３５５の計測値がＴＳ２（時間）に達した時点から時間の計測を開始する（ステップＳ１Ｇ：計時ステップ）。
続いて、制御パラメータ変更部３５３は、操作入力部３２が第２ユーザ操作を受け付けたか否か（マウスボタンが離されたか否か）を判断する（ステップＳ１Ｈ）。
制御パラメータ変更部３５３は、ステップＳ１Ｈにおいて「Ｙｅｓ」と判断した場合には、操作入力部３２が再度、第１ユーザ操作を受け付けたか否か（マウスボタンが再度押されたか否か）を判断する（ステップＳ１Ｉ）。
【００４７】
また、制御パラメータ変更部３５３は、ステップＳ１Ｉにおいて「Ｎｏ」と判断した場合には、第１タイマー３５４の計測値が第１閾値（ＴＳ１（時間））に達したか否かを判断する（ステップＳ１Ｊ）。
なお、ＴＳ１（時間）は、例えば、１ｓ〜３ｓ程度の時間である。
ここで、制御パラメータ変更部３５３は、ステップＳ１Ｊにおいて「Ｎｏ」と判断した場合には、ステップＳ１Ｉへ移行する。
そして、制御パラメータ変更部３５３は、マウスボタンが再度押される前（ステップＳ１Ｉ：Ｎｏ）に、第１タイマー３５４の計測値がＴＳ１（時間）に達したと判断した場合（ステップＳ１Ｊ：Ｙｅｓ）には、制御パラメータの変更動作を終了する（ステップＳ１Ｋ：変更動作終了ステップ）。
【００４８】
続いて、表示制御部３５１は、制御パラメータの変更動作を自動的に終了させたことを示すメッセージを表示部３１に表示させる（ステップＳ１Ｌ）。
図７は、ステップＳ１Ｌで表示部３１に表示される計器図Ｗの一例を示す図である。
例えば、ステップＳ１Ｌにおいて、表示制御部３５１は、図７に示すように、「制御パラメータの変更動作を自動的に立ち下げました」のメッセージＭを計器図Ｗに重畳して表示部３１に表示させる。
すなわち、表示制御部３５１及び表示部３１は、本発明に係る報知部としても機能する。
【００４９】
以上説明したステップＳ１Ａ〜Ｓ１Ｄ，Ｓ１Ｇ〜Ｓ１Ｌは、図６（ａ）に示す操作パターンＰＴ２のマウス操作が実施された場合での処理に相当するものである。
すなわち、オペレータによりマウスボタンが押されてから（タイミングＰＳ２から）、マウスボタンが離されるまで（タイミングＰＥ２Ａまで）の時間（Ｔ２）がＴＳ２（時間）以上である場合には、制御パラメータ変更部３５３は、マウスボタンが離される操作（第２ユーザ操作）があっても制御パラメータの変更動作を継続する（図６（ａ），図６（ｂ））。
そして、制御パラメータ変更部３５３は、第１タイマー３５４の計測値がＴＳ１（時間）に達した時（タイミングＰＥ２Ｂ）に制御パラメータの変更動作を終了する（図６（ｂ），図６（ｃ））。
【００５０】
ステップＳ１Ｉに戻って、マウスボタンが再度押されたと判断された場合（ステップＳ１Ｉ：Ｙｅｓ）には、第１タイマー３５４は、計測値を初期化し（ステップＳ１Ｍ）、ステップＳ１Ｇへ移行して再度、時間の計測を開始する。
続いて、制御パラメータ変更部３５３は、マウスボタンが離されていないと判断した場合（ステップＳ１Ｈ：Ｎｏ）には、第１タイマー３５４の計測値がＴＳ１（時間）に達したか否かを判断する（ステップＳ１Ｎ）。
ここで、制御パラメータ変更部３５３は、ステップＳ１Ｎにおいて「Ｎｏ」と判断した場合には、ステップＳ１Ｈへ移行する。
一方、制御パラメータ変更部３５３は、ステップＳ１Ｎにおいて「Ｙｅｓ」と判断した場合には、ステップＳ１Ｋへ移行する。
【００５１】
以上説明したステップＳ１Ａ〜Ｓ１Ｄ，Ｓ１Ｇ〜Ｓ１Ｎは、図６（ａ）に示す操作パターンＰＴ３，ＰＴ４のマウス操作が実施された場合での処理に相当するものである。
すなわち、オペレータによりマウスボタンが押されてから（タイミングＰＳ３から）、マウスボタンが離されるまで（タイミングＰＥ３まで）の時間（Ｔ３）がＴＳ２（時間）以上である場合には、制御パラメータ変更部３５３は、マウスボタンが離される操作（第２ユーザ操作）があっても制御パラメータの変更動作を継続する（図６（ａ），図６（ｂ））。
また、第１タイマー３５４の計測値がＴＳ１（時間）に達する前に、オペレータによりマウスボタンが再度押された（タイミングＰＳ４）場合には、第１タイマー３５４は、当該タイミングＰＳ４を起点として時間の計測を再スタートする（図６（ｃ））。
そして、制御パラメータ変更部３５３は、例えばマウスが故障して（タイミングＰＭ）、「ＢＵＴＴＯＮＵＰ」のマウスイベントを受け取れなくても、第１タイマー３５４の計測値がＴＳ１（時間）に達した時（タイミングＰＥ４）に制御パラメータの変更動作を終了する（図６（ａ）〜図６（ｃ））。
【００５２】
〔第２拡張モード〕
図８は、本発明の実施の形態１に係る制御パラメータ変更方法（第２拡張モード）を示すフローチャートである。図９は、第２拡張モードでの制御パラメータの変更動作を示すタイミングチャートである。
なお、図９（ａ）〜図９（ｃ）は、図６（ａ）〜図６（ｃ）にそれぞれ対応した図である。また、図９（ａ）でのマウス操作は、図６（ａ）でのマウス操作（操作パターンＰＴ１〜ＰＴ４のマウス操作）と同一のものとしている。
【００５３】
先ず、制御パラメータ変更部３５３は、操作入力部３２が第１ユーザ操作を受け付けたか否か（マウスボタンが押されたか否か）を常時、監視する（ステップＳ２Ａ）。
そして、制御パラメータ変更部３５３は、ステップＳ２Ａにおいて「Ｙｅｓ」と判断した場合には、制御パラメータの変更動作を開始する（ステップＳ２Ｂ：変更動作開始ステップ）。
また、第１タイマー３５４は、操作入力部３２による第１ユーザ操作の受け付け（ステップＳ２Ａ：Ｙｅｓ）を起点として時間の計測を開始する（ステップＳ２Ｃ：計時ステップ）。
なお、図８では、便宜上、ステップＳ２ＣをステップＳ２Ｂの後に示しているが、ステップＳ２Ｂ，Ｓ２Ｃは、略同時に実施されるものである。
【００５４】
続いて、制御パラメータ変更部３５３は、第１タイマー３５４の計測値がＴＳ１（時間）に達したか否か（マウスボタンが押されてからＴＳ１（時間）経過したか否か）を判断する（ステップＳ２Ｄ）。
制御パラメータ変更部３５３は、ステップＳ２Ｄにおいて「Ｎｏ」と判断した場合には、操作入力部３２が第２ユーザ操作を受け付けたか否か（マウスボタンが離されたか否か）を判断する（ステップＳ２Ｅ）。
ここで、制御パラメータ変更部３５３は、ステップＳ２Ｅにおいて「Ｎｏ」と判断した場合には、ステップＳ２Ｄへ移行する。
そして、制御パラメータ変更部３５３は、第１タイマー３５４の計測値がＴＳ１（時間）に達する前（ステップＳ２Ｄ：Ｎｏ）に、マウスボタンが離されたと判断した場合（ステップＳ２Ｅ：Ｙｅｓ）には、制御パラメータの変更動作を終了する（ステップＳ２Ｆ）。
【００５５】
以上説明したステップＳ２Ａ〜Ｓ２Ｆは、図９（ａ）に示す操作パターンＰＴ１〜ＰＴ３のマウス操作が実施された場合での処理に相当するものである。
すなわち、オペレータによりマウスボタンが押されてから（タイミングＰＳ１〜ＰＳ３から）、マウスボタンが離されるまで（タイミングＰＥ１，ＰＥ２Ａ，ＰＥ３まで）の時間（Ｔ１〜Ｔ３）がＴＳ１（時間）未満である場合には、制御パラメータ変更部３５３は、マウスボタンが離される操作（第２ユーザ操作）に応じて制御パラメータの変更動作を終了する（図９（ｂ））。
【００５６】
ステップＳ２Ｄに戻って、制御パラメータ変更部３５３は、第１タイマー３５４の計測値がＴＳ１（時間）に達したと判断した場合（ステップＳ２Ｄ：Ｙｅｓ）には、制御パラメータの変更動作を終了する（ステップＳ２Ｇ：変更動作終了ステップ）。
続いて、表示制御部３５１は、ステップＳ１Ｌと同様に、メッセージを表示部３１に表示させる（ステップＳ２Ｈ）。
このメッセージは、例えば、図７に示すメッセージＭと同様のメッセージとすることができる。
【００５７】
以上説明したステップＳ２Ａ〜Ｓ２Ｄ，Ｓ２Ｇ，Ｓ２Ｈは、図９（ａ）に示す操作パターンＰＴ４のマウス操作が実施された場合での処理に相当するものである。
すなわち、制御パラメータ変更部３５３は、オペレータによりマウスボタンが押された後（タイミングＰＳ４の後）、例えばマウスが故障して（タイミングＰＭ）、「ＢＵＴＴＯＮＵＰ」のマウスイベントを受け取れず、第１タイマー３５４の計測値がＴＳ１（時間）に達した場合（タイミングＰＥ４）には、当該タイミングＰＥ４に制御パラメータの変更動作を終了する（図９（ａ）〜図９（ｃ））。
【００５８】
以上説明した本実施の形態１では、オペレータステーション３は、制御パラメータ変更部３５３及び第１タイマー３５４を備える。
このため、制御パラメータ変更部３５３の動作モードを「第１拡張モード」または「第２拡張モード」に切り替えておけば、制御パラメータの変更動作を開始した後、オペレータによる操作入力部３２の操作によらなくても、第１タイマー３５４の計測値に基づいて、制御パラメータの変更動作を自動的に終了することができる。
【００５９】
また、本実施の形態１では、オペレータステーション３は、操作入力部３２による第１ユーザ操作（マウスボタンを押す操作）の受け付けを起点として時間を計測する第２タイマー３５５を備える。そして、制御パラメータ変更部３５３は、「第１拡張モード」において、第２タイマー３５５の計測値がＴＳ２（時間）に達する前に操作入力部３２が第２ユーザ操作（マウスボタンを離す操作）を受け付けた場合には、当該第２ユーザ操作に応じて制御パラメータの変更動作を終了する。
このため、「第１拡張モード」では、制御パラメータを少しずつ変更することを目的としてオペレータが短時間に第１，第２ユーザ操作を繰り返し行った場合には、当該操作に対応させて、制御パラメータを少しずつ変更することができる。すなわち、本実施の形態１では、第１，第２ユーザ操作の細かな操作に対してはその応答性を確保しつつ、オペレータによる操作入力部３２の操作によらなくても制御パラメータの変更動作を自動的に終了することができ、高信頼な操作装置（オペレータステーション３）を提供することができる。
【００６０】
さらに、本実施の形態１では、第１タイマー３５４は、「第１拡張モード」において、第２タイマー３５５の計測値がＴＳ２（時間）に達した時点から時間を計測する。そして、制御パラメータ変更部３５３は、第１タイマー３５４の計測値がＴＳ１（時間）に達する前に操作入力部３２が第２ユーザ操作を受け付けた場合には、第１タイマー３５４の計測値がＴＳ１（時間）に達するまで制御パラメータの変更動作を継続する。また、第１タイマー３５４は、時間の計測中（計測値がＴＳ１（時間）に達する前）に操作入力部３２が第１ユーザ操作を受け付けた場合には、計測値を初期化し、再度、時間を計測する。
このため、「第１拡張モード」では、オペレータは、第１ユーザ操作を行ってからＴＳ２（時間）が経過した場合であっても、再度、第１ユーザ操作を行うことで、制御パラメータの変更動作が自動的に立ち下げられることがなく、制御パラメータを継続して連続的に変更することができる。
【００６１】
また、本実施の形態１では、第１タイマー３５４は、「第２拡張モード」において、操作入力部３２による第１ユーザ操作の受け付けを起点として時間を計測する。そして、制御パラメータ変更部３５３は、第１タイマー３５４の計測値がＴＳ１（時間）に達する前に操作入力部３２が第２ユーザ操作を受け付けた場合には、当該第２ユーザ操作に応じて制御パラメータの変更動作を終了する。
このため、「第２拡張モード」においても、「第１拡張モード」と同様に、オペレータが短時間に第１，第２ユーザ操作を繰り返し行った場合には、当該操作に対応させて、制御パラメータを少しずつ変更することができる。また、第２ユーザ操作に対応して即座に制御パラメータの変更動作が終了するので、例えば、制御パラメータを変更してバルブ開閉器の動作を制御し、燃料の流量（投入量）を微調整する場合等でも、オペレータの意図に反して、燃料の流量が増加（減少）し過ぎることがない。
【００６２】
さらに、本実施の形態１では、オペレータステーション３は、制御パラメータ変更部３５３の動作モードを切り替えるモード切替部３５２を備える。
このため、オペレータの好みや制御対象等に応じて、制御パラメータの変更動作を種々のモードで実施させることができる。
特に、制御パラメータ変更部３５３の動作モードとして、「標準モード」を設けているので、制御パラメータ変更部３５３の動作モードを「標準モード」に切り替えておけば、従来と同様の操作によっても、制御パラメータの変更動作を実施させることができる。
【００６３】
また、本実施の形態１では、表示制御部３５１は、第１タイマー３５４の計測値がＴＳ１（時間）に達することで制御パラメータの変更動作が終了した場合に、制御パラメータの変更動作を自動的に終了させたことを示すメッセージＭを表示部３１に表示させる。このため、オペレータは、マウスのケーブルがコネクタから抜けている、マウスが故障した、あるいは、マウスが何らかの要因でクリックされたままになっている（書籍などがマウスに載ってクリック状態になっている）可能性を認識し、当該状況に対応することができる。
【００６４】
（実施の形態２）
次に、本発明の実施の形態２について説明する。
以下の説明では、上述した実施の形態１と同様の構成及びステップには同一符号を付し、その詳細な説明は省略または簡略化する。
上述した実施の形態１では、制御パラメータの変更動作を終了する際に、第１，第２タイマー３５４，３５５の双方の計測値を利用していた。
【００６５】
図１０は、本発明の実施の形態２に係るオペレータステーション３Ａの構成を示すブロック図である。
本実施の形態２では、制御パラメータの変更動作を終了する際に、１つのタイマーの計測値のみを利用する。すなわち、本実施の形態２では、オペレータステーション３Ａを構成する制御部３５Ａは、上述した実施の形態１（図２）に対して、図１０に示すように、時間を計測するタイマーとして、第１タイマー３５４Ａのみを採用している点が異なる。
なお、第１タイマー３５４Ａは、本発明に係る第１計測部として機能するものである。
「第２拡張モード」での制御パラメータの変更動作については上述した実施の形態１と同様（第１タイマー３５４の代わりに第１タイマー３５４Ａを用いる）であるため、以下では、「第１拡張モード」での制御パラメータの変更動作のみを説明する。
【００６６】
〔制御パラメータの変更動作（第１拡張モード）〕
図１１は、本発明の実施の形態２に係る制御パラメータ変更方法（第１拡張モード）を示すフローチャートである。
なお、本実施の形態２に係る「第１拡張モード」での制御パラメータの変更動作は、上述した実施の形態１（図５）に対して、図１１に示すように、ステップＳ１Ｃ〜Ｓ１Ｆが省略されている点と、ステップＳ１ＧをステップＳ１Ｏに代えた点とが異なるのみである。このため、以下では、ステップＳ１Ｏのみを説明する。
【００６７】
操作入力部３２が第１ユーザ操作を受け付けた（マウスボタンが押された）と判断された場合（ステップＳ１Ａ：Ｙｅｓ）に、第１タイマー３５４Ａは、当該操作入力部３２による第１ユーザ操作の受け付けを起点として時間の計測を開始する（ステップＳ１Ｏ：計時ステップ）。
なお、図１０では、便宜上、ステップＳ１ＯをステップＳ１Ｂの後に示しているが、ステップＳ１Ｂ，Ｓ１Ｏは、略同時に実施されるものである。
続いて、オペレータステーション３Ａは、ステップＳ１Ｈへ移行する。
【００６８】
以上説明した本実施の形態２のように、第２タイマー３５５による計測値を利用しないで制御パラメータの変更動作を行っても、上述した実施の形態１と同様の効果を享受できる。
【００６９】
（本実施の形態の変形例）
ここまで、本発明を実施するための形態を説明してきたが、本発明は上述した実施の形態によってのみ限定されるべきものではない。
上述した実施の形態１，２では、第１，第２ユーザ操作は、マウスボタンを押すまたは離す操作であったが、これに限られない。
例えば、第１，第２ユーザ操作を、キーボードを用いた操作（例えば、上下の方向キーのいずれかを押すまたは離す操作）や、タッチパネルを用いた操作（例えば、アイコンＵＡ，ＤＡのいずれかの表示位置をタッチまたは離す操作）等としても構わない。
また、例えば、第１ユーザ操作を、表示部３１に計器図Ｗが表示されている際にマウス操作によりパラメータ変更アイコンＵＡ，ＤＡのいずれかの表示位置（制御パラメータを増加させる場合にはアイコンＵＡの表示位置、減少させる場合にはアイコンＤＡの表示位置）にマウスカーソルを位置付け、マウスホイールを回転させる操作としても構わない。
【００７０】
図１２は、本発明の実施の形態１，２の変形例に係る制御パラメータ変更方法を示すフローチャートである。図１３は、本発明の実施の形態１，２の変形例に係る制御パラメータの変更動作を示すタイミングチャートである。
なお、図１３（ａ）は、オペレータによるマウスホイールの回転操作のタイミングＰＳ５〜ＰＳ８を示している。また、図１３（ｂ）及び図１３（ｃ）は、図６（ｂ）及び図６（ｃ）にそれぞれ対応した図である。
オペレータステーション３は、第１ユーザ操作を上記のマウスホイールの回転操作とした場合には、図１２または図１３に示すように、制御パラメータの変更動作を行う。
【００７１】
具体的には、先ず、制御パラメータ変更部３５３は、操作入力部３２が第１ユーザ操作を受け付けたか否か（マウスホイールの回転操作があったか否か）を常時、監視する（ステップＳ３Ａ）。
そして、オペレータステーション３は、ステップＳ２Ｂ〜Ｓ２Ｄと同様に、変更動作開始ステップ（ステップＳ３Ｂ）、計時ステップ（ステップＳ３Ｃ）、及び第１タイマー３５４の計測値がＴＳ１（時間）に達したか否かの判断（ステップＳ３Ｄ）を行う。
なお、図１２では、便宜上、ステップＳ３ＣをステップＳ３Ｂの後に示しているが、ステップＳ３Ｂ，Ｓ３Ｃは、略同時に実施されるものである。
【００７２】
制御パラメータ変更部３５３は、第１タイマー３５４の計測値がＴＳ１（時間）に達していないと判断した場合（ステップＳ３Ｄ：Ｎｏ）には、操作入力部３２が再度、第１ユーザ操作を受け付けたか否か（再度のマウスホイールの回転操作があったか否か）を判断する（ステップＳ３Ｅ）。
ここで、制御パラメータ変更部３５３は、ステップＳ３Ｅにおいて「Ｎｏ」と判断した場合には、ステップＳ３Ｄへ移行する。
そして、制御パラメータ変更部３５３は、再度のマウスホイールの回転操作がないまま（ステップＳ３Ｅ：Ｎｏ）、第１タイマー３５４の計測値がＴＳ１（時間）に達した場合（ステップＳ３Ｄ：Ｙｅｓ）には、制御パラメータの変更動作を終了する（ステップＳ３Ｆ：変更動作終了ステップ）。
続いて、表示制御部３５１は、ステップＳ２Ｈと同様に、メッセージＭを表示部３１に表示させる（ステップＳ３Ｇ）。
【００７３】
以上説明したステップＳ３Ａ〜Ｓ３Ｇは、図１３（ａ）に示すタイミングＰＳ５でマウスホイールの回転操作が実施された場合での処理に相当するものである。
すなわち、オペレータによるマウスホイールの回転操作が実施されてから（タイミングＰＳ５から）、次の回転操作が実施されるまで（タイミングＰＳ６まで）の時間（Ｔ５）がＴＳ１（時間）未満である場合には、制御パラメータ変更部３５３は、タイミングＰＳ５からＴＳ１（時間）が経過するまで制御パラメータの変更動作を継続する（図１３（ｂ），図１３（ｃ））。
そして、制御パラメータ変更部３５３は、第１タイマー３５４の計測値がＴＳ１（時間）に達した時（タイミングＰＥ５）に制御パラメータの変更動作を終了する（図１３（ｂ），図１３（ｃ））。
【００７４】
ステップＳ３Ｅに戻って、再度のマウスホイールの回転操作があったと判断された場合（ステップＳ３Ｅ：Ｙｅｓ）には、第１タイマー３５４は、計測値を初期化し（ステップＳ３Ｈ）、ステップＳ３Ｃへ移行して再度、時間の計測を開始する。
以上説明したステップＳ３Ａ〜Ｓ３Ｈは、図１３（ａ）に示すタイミングＰＳ６〜ＰＳ８でマウスホイールの回転操作が実施された場合での処理に相当するものである。
すなわち、オペレータによりマウスホイールの回転操作があった（タイミングＰＳ６）後、第１タイマー３５４の計測値がＴＳ１（時間）に達する前に、再度のマウスホイールの回転操作があった（タイミングＰＳ７）場合（タイミングＰＳ６からタイミングＰＳ７までの時間Ｔ６がＴＳ１（時間）未満の場合）には、第１タイマー３５４は、当該タイミングＰＳ７を起点として時間の計測を再スタートする（図１３（ｃ））。なお、タイミングＰＳ７の後、再度のマウスホイールの回転操作があった（タイミングＰＳ８）場合（タイミングＰＳ７からタイミングＰＳ８までの時間Ｔ７がＴＳ１（時間）未満の場合）も同様に、第１タイマー３５４は、時間の計測を再スタートする。
そして、制御パラメータ変更部３５３は、タイミングＰＳ８の後、例えばマウスが故障した（タイミングＰＭ）場合でも、第１タイマー３５４の計測値がＴＳ１（時間）に達した時（タイミングＰＥ６）に制御パラメータの変更動作を終了する（図１３（ａ）〜図１３（ｃ））。
【００７５】
また、上述した実施の形態１，２では、制御パラメータ変更部３５３は、第１通信部３３の動作を制御し、制御ネットワーク４を介して、制御装置２の内部メモリに記憶された制御パラメータを変更していたが、これに限られない。
例えば、第１通信部３３の動作を制御し、制御ネットワーク４を介して、制御パラメータの変更を指示する制御信号を制御装置２に送信する構成としても構わない。この場合には、制御装置２は、当該制御信号を受信した後、当該制御信号にしたがって内部メモリに記憶された制御パラメータを変更する。
【００７６】
さらに、上述した実施の形態１，２では、制御パラメータ変更部３５３の動作モードとして、「標準モード」、「第１拡張モード」、及び「第２拡張モード」の３つを設けていたが、これに限られない。
例えば、「第１拡張モード」及び「第２拡張モード」の２つのみを設けてもよく、あるいは、いずれか１つのみを設けてもよい。
また、例えば、図１２及び図１３に示した動作モードを「第３拡張モード」として、上記３つに加えて４つの動作モードを設けてもよく、あるいは、「標準モード」を除いて、「第１拡張モード」、「第２拡張モード」、及び「第３拡張モード」の少なくとも１つを動作モードとして設けてもよい。
【００７７】
また、上述した実施の形態１，２では、表示制御部３５１は、制御パラメータの変更動作を自動的に終了させたことを示すメッセージＭを表示部３１に表示させていたが、これに限られない。例えば、メッセージＭ（文字）の代わりに、制御パラメータの変更動作を自動的に終了させたことを示す図形やアイコンを表示部３１に表示させても構わない。
さらに、上述した実施の形態１，２では、表示制御部３５１は、動作モードに応じた文字をモード変更アイコンＭＡに表示していたが、これに限られず、例えば、文字の変わりに、動作モードに応じた図形をモード変更アイコンＭＡに表示させても構わない。
【００７８】
また、上述した実施の形態１，２では、本発明に係る報知部として、表示制御部３５１及び表示部３１を採用していたが、これに限られない。
例えば、制御パラメータの変更動作を自動的に終了させたことを示すメッセージを音声により出力するスピーカーや当該スピーカーの動作を制御する制御部を本発明に係る報知部として採用しても構わない。
また、例えば、点灯することで上記メッセージを報知するＬＥＤ（Light Emitting Diode）等や当該ＬＥＤ等の動作を制御する制御部を本発明に係る報知部として採用しても構わない。
【００７９】
また、処理フローは、上述した実施の形態１，２で説明したフローチャートにおける処理の順序に限られず、矛盾のない範囲で変更しても構わない。
さらに、本明細書においてフローチャートを用いて説明した処理のアルゴリズムは、プログラムとして記述することが可能である。このようなプログラムは、コンピュータ内部の記録部に記録してもよいし、コンピュータ読み取り可能な記録媒体に記録してもよい。プログラムの記録部または記録媒体への記録は、コンピュータまたは記録媒体を製品として出荷する際に行ってもよいし、情報ネットワークを介したダウンロードにより行ってもよい。
【符号の説明】
【００８０】
１  プラント監視システム
２  制御装置
３，３Ａ  オペレータステーション
４  制御ネットワーク
５  データベースステーション
６  プリンタ
７  情報ネットワーク
３１  表示部
３２  操作入力部
３３  第１通信部
３４  第２通信部
３５，３５Ａ  制御部
３６  メモリ部
３５１  表示制御部
３５２  モード切替部
３５３  制御パラメータ変更部
３５４，３５４Ａ  第１タイマー
３５５  第２タイマー
Ｐ  プラント
Ｐ１，Ｐ２  機器
Ｗ  計器図
Ｖ  表示領域
ＵＡ，ＤＡ  パラメータ変更アイコン
ＭＡ  モード変更アイコン
ＰＴ１〜ＰＴ４  操作パターン
ＴＳ１  第１閾値
ＴＳ２  第２閾値
ＰＳ，ＰＥ，ＰＳ１〜ＰＳ８，ＰＥ１，ＰＥ２Ａ，ＰＥ２Ｂ，ＰＥ３〜ＰＥ６，ＰＭ  タイミング
Ｔ１〜Ｔ３，Ｔ５〜Ｔ７  時間
【図１】
2015007864.tif 000003
【図２】
2015007864.tif 000004
【図３】
2015007864.tif 000005
【図４】
2015007864.tif 000006
【図５】
2015007864.tif 000007
【図６】
2015007864.tif 000008
【図７】
2015007864.tif 000009
【図８】
2015007864.tif 000010
【図９】
2015007864.tif 000011
【図１０】
2015007864.tif 000012
【図１１】
2015007864.tif 000013
【図１２】
2015007864.tif 000014
【図１３】
2015007864.tif 000015
【図１４】
2015007864.tif 000016